(57)【特許請求の範囲】
【請求項１】
第１及び第２の動作クラスで動作する第１及び第２の増幅素子と、
前記第１の増幅素子との間でインピーダンスを整合させる処理を行う第１の入力整合回路と、
前記第１の増幅素子からの出力に対してインピーダンスを整合させる処理を行う第１の出力整合回路と、
前記第１の出力整合回路の出力側に配置され、前記第１の入力整合回路に第１の周波数帯の信号が入力される場合には該第１の周波数帯の信号の波長の４分の１の電気長を有し、前記第１の入力整合回路に第２の周波数帯の信号が入力される場合には該第２の周波数帯の信号の波長の４分の１の電気長を有する伝送線路と、
前記第２の増幅素子との間でインピーダンスを整合させる処理を行う第２の入力整合回路と、
前記第２の増幅素子からの出力に対してインピーダンスを整合させる処理を行う第２の出力整合回路と、
前記第２の出力整合回路と、前記伝送線路とを結合する結合部と
を有し、
前記第１の入力整合回路に入力される前記第１の周波数帯の信号を増幅する際に、前記第１の増幅素子に前記第１の動作クラスで動作するようにバイアス電圧が印加されるとともに前記第１の入力整合回路及び前記第１の出力整合回路は増幅効率を重視する整合条件に従ってインピーダンスを整合させる処理を行い、且つ前記第２の増幅素子に前記第２の動作クラスで動作するようにバイアス電圧が印加されるとともに前記第２の入力整合回路及び前記第２の出力整合回路は出力電力を重視する整合条件に従ってインピーダンスを整合させる処理を行い、
前記第１の入力整合回路に入力される前記第２の周波数帯の信号を増幅する際に、前記第１の増幅素子に前記第２の動作クラスで動作するようにバイアス電圧が印加されるとともに前記第１の入力整合回路及び前記第１の出力整合回路は出力電力を重視する整合条件に従ってインピーダンスを整合させる処理を行い、且つ前記第２の増幅素子に前記第１の動作クラスで動作するようにバイアス電圧が印加されるとともに前記第２の入力整合回路及び前記第２の出力整合回路は増幅効率を重視する整合条件に従ってインピーダンスを整合させる処理を行う、増幅器。
【請求項２】
前記第１の周波数帯の信号を増幅する際に、前記第１の増幅素子がパワーアンプとして機能するように前記第１の動作クラスで動作させるバイアス電圧が印加され、且つ前記第２の増幅素子がキャリアアンプとして機能するように前記第２の動作クラスで動作させるバイアス電圧が印加され、
前記第２の周波数帯の信号を増幅する際に、前記第１の増幅素子がキャリアアンプとして機能するように前記第２の動作クラスで動作させるバイアス電圧が印加され、且つ前記第２の増幅素子がパワーアンプとして機能するように前記第１の動作クラスで動作させるバイアス電圧が印加される、請求項１に記載の増幅器。
【請求項３】
前記第１の増幅素子により生じる位相のずれを補正する第１の位相補正線路と、
前記第２の増幅素子により生じる位相のずれを補正する第２の位相補正線路と
を有する、請求項１に記載の増幅器。
【請求項４】
前記第１の増幅素子に、該第１の増幅素子により第１及び第２の周波数帯の信号を増幅する際に生じる位相のずれが補正された信号が入力され、
前記第２の増幅素子に、該第２の増幅素子により第１及び第２の周波数帯の信号を増幅する際に生じる位相のずれが補正された信号が入力される、請求項１に記載の増幅器。
【請求項５】
前記第２の周波数帯は、前記第１の周波数帯の３倍であり、前記伝送線路は、前記第１の周波数帯に応じた電気長の伝送線路である、請求項１に記載の増幅器。
【発明の詳細な説明】
【技術分野】
【０００１】
本発明は、増幅器に関する。
【背景技術】
【０００２】
移動通信システムで利用される周波数帯は増加している。最近では、移動通信システムは、複数帯域（マルチバンド）でサービスが提供される。具体的には、移動通信システムは、７００ＭＨｚ帯、８００ＭＨｚ帯、１．５ＧＨｚ帯、１．７ＧＨｚ帯、２．１ＧＨｚ帯、２．５ＧＨｚ帯で、サービスを提供する。
【０００３】
一方、移動通信システムの基地局用の増幅器は、高効率性能が要求される。高効率性能に対する要求のため、ドハティ型増幅器が多く採用される。ドハティ型増幅器は、変調波において高効率を得られるためである。
【０００４】
基地局では、周波数帯毎に増幅器が用意される。周波数帯毎に増幅器が用意されるのは、設計、コスト、物量の観点から好ましくない。従って、１つの増幅器で、マルチバンドに対応できるドハティ増幅器が要望されている。
【０００５】
ドハティ型電力増幅器の出力電力合成回路の電気長をスイッチで周波数帯に応じて切り換えることにより、マルチバンドに対して高効率特性を図る方法が知られている（例えば、特許文献１参照）。
【先行技術文献】
【特許文献】
【０００６】
【特許文献１】特開２００６−３４５３４１号公報
【発明の概要】
【発明が解決しようとする課題】
【０００７】
基地局に使用される増幅器には、出力電力が高く、且つ高効率な特性と、十分に抑圧された歪特性とが要求される。
【０００８】
増幅器の出力側にスイッチなどの切替回路を設けることにより要求される性能を満たすようにしたものが知られている。しかし、このようにした場合、切替回路により電力損失が生じる。電力損失が生じることにより、出力電力性能、効率性能が劣化する。また、出力電力が高く、十分に抑圧された歪特性を有するスイッチは高価であり、且つ大きな動作電圧が必要とされる。
【０００９】
開示の増幅器は、増幅器のマルチバンド化を実現することを目的とする。
【課題を解決するための手段】
【００１０】
開示の一実施例の増幅器は、
第１及び第２の動作クラスで動作する第１及び第２の増幅素子と、
前記第１の増幅素子との間でインピーダンスを整合させる処理を行う第１の入力整合回路と、
前記第１の増幅素子からの出力に対してインピーダンスを整合させる処理を行う第１の出力整合回路と、
前記第１の出力整合回路の出力側に配置され、前記第１の入力整合回路に第１の周波数帯の信号が入力される場合には該第１の周波数帯の信号の波長の４分の１の電気長を有し、前記第１の入力整合回路に第２の周波数帯の信号が入力される場合には該第２の周波数帯の信号の波長の４分の１の電気長を有する伝送線路と、
前記第２の増幅素子との間でインピーダンスを整合させる処理を行う第２の入力整合回路と、
前記第２の増幅素子からの出力に対してインピーダンスを整合させる処理を行う第２の出力整合回路と、
前記第２の出力整合回路と、前記伝送線路とを結合する結合部と
を有し、
前記第１の入力整合回路に入力される前記第１の周波数帯の信号を増幅する際に、前記第１の増幅素子に前記第１の動作クラスで動作するようにバイアス電圧が印加されるとともに前記第１の入力整合回路及び前記第１の出力整合回路は増幅効率を重視する整合条件に従ってインピーダンスを整合させる処理を行い、且つ前記第２の増幅素子に前記第２の動作クラスで動作するようにバイアス電圧が印加されるとともに前記第２の入力整合回路及び前記第２の出力整合回路は出力電力を重視する整合条件に従ってインピーダンスを整合させる処理を行い、
前記第１の入力整合回路に入力される前記第２の周波数帯の信号を増幅する際に、前記第１の増幅素子に前記第２の動作クラスで動作するようにバイアス電圧が印加されるとともに前記第１の入力整合回路及び前記第１の出力整合回路は出力電力を重視する整合条件に従ってインピーダンスを整合させる処理を行い、且つ前記第２の増幅素子に前記第１の動作クラスで動作するようにバイアス電圧が印加されるとともに前記第２の入力整合回路及び前記第２の出力整合回路は増幅効率を重視する整合条件に従ってインピーダンスを整合させる処理を行う。
【発明の効果】
【００１１】
開示の実施例によれば、増幅器のマルチバンド化を実現することができる。
【図面の簡単な説明】
【００１２】
【図１】基地局の一実施例を示す図である。
【図２】基地局の一実施例を示す図である。
【図３】送信装置の一実施例を示す図である。
【図４】増幅器の一実施例を示す図である。
【図５】入力整合回路によるインピーダンス整合の一例を示すスミスチャートである。
【図６】出力整合回路によるインピーダンス整合の一例を示すスミスチャートである。
【図７】増幅器の動作の一実施例を示すフローチャートである。
【図８】送信装置の一実施例を示す図である。
【図９】増幅器の一実施例を示す図である。
【図１０】増幅器の動作の一実施例を示すフローチャートである。
【発明を実施するための形態】
【００１３】
以下、図面に基づいて、実施例を説明する。
なお、実施例を説明するための全図において、同一機能を有するものは同一符号を用い、繰り返しの説明は省略する。
【００１４】
＜第１の実施例＞
＜基地局１００＞
図１は、基地局１００の一実施例を示す。
【００１５】
基地局１００は、増幅装置１０２（１０２１−１０２６）と、変調装置１０４（１０４１−１０４６）と、制御装置１０６（１０６１−１０６６）と、電源装置１０８（１０８１−１０８６）とを有する。
【００１６】
同じ添え字で表される装置により、１つの基地局が構成されてもよい。
【００１７】
図１には、増幅装置１０２が６台の増幅装置１０２１−１０２６を含む場合について示される。しかし、増幅装置１０２は、６台の増幅装置１０２１−１０２６に限らず、１台−５台でもよいし、７台以上でもよい。図１には、変調装置１０４が６台の変調装置１０４１−１０４６を含む場合について示される。しかし、変調装置１０４は、６台の変調装置１０４１−１０４６に限らず、１台−５台でもよいし、７台以上でもよい。図１には、制御装置１０６が６台の制御装置１０６１−１０６６を含む場合について示される。しかし、制御装置１０６は、６台の制御装置１０６１−１０６６に限らず、１台−５台でもよいし、７台以上でもよい。図１には、電源装置１０８が６台の電源装置１０８１−１０８６を含む場合について示される。しかし、電源装置１０８は、６台の電源装置１０８１−１０８６に限らず、１台−５台でもよいし、７台以上でもよい。
【００１８】
例えば、増幅装置１０２１−１０２６、変調装置１０４１−１０４６、制御装置１０６１−１０６６、及び電源装置１０８１−１０８６は、カード状の形状であってもよい。基地局の筐体に各装置が格納されることで基地局が構成される。
【００１９】
＜基地局２００＞
図２は、基地局２００の一実施例を示す。
【００２０】
基地局２００は、リモートレディオヘッド（ＲＲＨ：  Ｒｅｍｏｔｅ  Ｒａｄｉｏ  Ｈｅａｄ）２０２（２０２１−２０２３）と、ベースバンド処理装置（ＢＢＵ：  Ｂａｓｅ  Ｂａｎｄ  Ｕｎｉｔ）２０８とを有する。図２には、リモートレディオヘッド２０２が、３台のリモートレディオヘッド２０２１−２０２３を含む場合について示される。リモートレディオヘッド２０２は、３台のリモートレディオヘッド２０２１−２０２３に限らず、１台、２台でもよいし、４台以上でもよい。
【００２１】
ＲＲＨ２０２は、基地局の無線部である。具体的には、ＲＲＨ２０２は、送信データに変調処理を行う変調装置２０６（２０６１−２０６３）を有する。また、ＲＲＨ２０２は、変調装置２０６により変調処理された信号を増幅する増幅装置２０４（２０４１−２０４３）を有する。ベースバンド処理装置２０８は、ベースバンド信号処理を行う。
【００２２】
＜送信装置３００＞
図３は、送信装置３００の一実施例を示す。送信装置３００は、主に、図１に示される基地局１００における増幅装置１０２、変調装置１０４、図２に示される基地局２００におけるＲＲＨ２０２に含まれてもよい。
【００２３】
送信装置３００は、変調回路３０２１及び３０２２と、Ｄ／Ａ変換器３０４１及び３０４２と、プリアンプ３０６１及び３０６２と、増幅器３０８と、フィルタ３１０と、アンテナ３１２と、位相変換回路３１４とを有する。増幅器３０８は、ドハティ増幅器により実現される。
【００２４】
変調回路３０２１及び３０２２は、送信信号を変調する。変調回路３０２１は、Ｄ／Ａ変換回路３０４１へ、変調された送信信号を入力する。変調回路３０２２は、Ｄ／Ａ変換回路３０４２へ、変調された送信信号を入力する。
【００２５】
Ｄ／Ａ変換回路３０４１及び３０４２は、変調回路３０２１及び３０２２とそれぞれ接続される。Ｄ／Ａ変換回路３０４１及び３０４２は、アナログ信号へ、変調された送信信号を変換する。Ｄ／Ａ変換回路３０４１は、プリアンプ３０６１へ、アナログ信号へ変換された信号を入力する。Ｄ／Ａ変換回路３０４２は、プリアンプ３０６２へ、アナログ信号へ変換された信号を入力する。
【００２６】
プリアンプ３０６１及び３０６２は、Ｄ／Ａ変換回路３０４１及び３０４２とそれぞれ接続される。プリアンプ３０６１及び３０６２は、Ｄ／Ａ変換回路３０４１及び３０４２からのアナログ信号を増幅する。プリアンプ３０６１は、増幅器３０８へ、増幅したアナログ信号を入力する。プリアンプ３０６２は、位相変換回路３１４へ、増幅したアナログ信号を入力する。
【００２７】
位相変換回路３１４は、プリアンプ３０６２と接続される。位相変換回路３１４は、プリアンプ３０６２からの信号の位相を９０度ずらす。位相変換回路３１４は、位相を９０度ずらしたプリアンプ３０６２からの信号を増幅器３０８に入力する。具体的には、位相変換回路３１４は、プリアンプ３０６２からの信号の位相を９０度遅らせる。プリアンプ３０６２からの信号の位相を９０度遅らせるのは、ドハティ増幅器では、キャリアアンプからの信号とピークアンプからの信号は９０度の位相差で結合されるためである。
【００２８】
増幅器３０８は、プリアンプ３０６１、位相変換回路３１４と接続される。増幅器３０８は、プリアンプ３０６１からの信号と、位相変換回路３１４からの信号とを利用して、平均電力レベルまでをキャリアアンプブランチで増幅し、電力上昇途中からピークアンプブランチで動作する。増幅器３０８は、キャリアアンプブランチで増幅した信号と、ピークアンプブランチで動作することにより増幅した信号とを合成する。キャリアアンプブランチで増幅することにより、増幅効率を向上させることができる。また、ピークアンプブランチを動作することにより、最大電力を得ることができる。増幅器３０８は、フィルタ３１０へ、プリアンプ３０６１からの信号と位相変換回路３１４からの信号とを利用して増幅した信号を入力する。
【００２９】
フィルタ３１０は、増幅器３０８と接続される。フィルタ３１０は、増幅器３０８からの信号の帯域制限を行い、アンテナ３１２から送信する。
【００３０】
アンテナ３１２は、フィルタ３１０と接続される。アンテナ３１２は、フィルタ３１０により帯域制限された信号を無線送信する。
【００３１】
＜増幅器３０８＞
図４は、増幅器３０８の一実施例を示す。
【００３２】
増幅器３０８は、複数の帯域、つまりマルチバンドに対応する。具体的には、増幅器３０８は、７００ＭＨｚ帯、８００ＭＨｚ帯、１．５ＧＨｚ帯、１．７ＧＨｚ帯、２．１ＧＨｚ帯、２．５ＧＨｚ帯に対応する。
【００３３】
増幅器３０８の一実施例では、複数の帯域のうち、７００ＭＨｚ帯と、２．１ＧＨｚ帯に対応する場合について説明する。７００ＭＨｚ帯と、２．１ＧＨｚ帯に対応する場合に限らず、他の周波数帯に対応する場合についても同様に適用できる。
【００３４】
増幅器３０８は、入力整合回路４０２１及び４０２２と、増幅素子４０４１及び４０４２と、出力整合回路４０６１及び４０６２と、伝送線路４０８及び４１０とを有する。例えば、増幅素子４０４１及び４０４２は、ＬＤ−ＭＯＳ（Ｌａｔｅｒａｌ  Ｄｏｕｂｌｅ−Ｄｉｆｆｕｓｅｄ  ＭＯＳ）、ＧａＡｓ−ＦＥＴ、ＨＥＭＴ、ＨＢＴ等の半導体デバイスであってもよい。
【００３５】
増幅器３０８では、ＡＢ級で動作するバイアス電圧と、Ｃ級で動作するバイアス電圧との間で、増幅素子４０４１及び４０４２に印加する電圧を切り替える。具体的には、入力信号が７００ＭＨｚ帯のブランチの場合には、増幅素子４０４１にはＡＢ級で動作するバイアス電圧が印加され、増幅素子４０４２にはＣ級で動作するバイアス電圧が印加される。増幅素子４０４１にＡＢ級で動作するバイアス電圧が印加されることにより、増幅素子４０４１はキャリアアンプとして機能する。増幅素子４０４２にＣ級で動作するバイアス電圧が印加されることにより、増幅素子４０４２はパワーアンプとして機能する。入力信号は、プリアンプ３０６１、位相変換回路３１４からの信号である。
【００３６】
また、入力信号が２．１ＧＨｚ帯のブランチの場合には、増幅素子４０４１にはＣ級で動作するバイアス電圧が印加され、増幅素子４０４２にはＡＢ級で動作するバイアス電圧が印加される。増幅素子４０４１にＣ級で動作するバイアス電圧が印加されることにより、増幅素子４０４１はパワーアンプとして機能する。増幅素子４０４２にＡＢ級で動作するバイアス電圧が印加されることにより、増幅素子４０４２はキャリアアンプとして機能する。
【００３７】
増幅素子４０４１、４０４２に印加するバイアス電圧を切替えることにより、増幅素子４０４１及び４０４２は、キャリアアンプとしての機能と、ピークアンプとしての機能とを切替えることができる。
【００３８】
入力整合回路４０２１は、プリアンプ３０６１と接続される。入力整合回路４０２１は、増幅素子４０４１の入力インピーダンスへ、プリアンプ３０６１からの信号のインピーダンスを変換する。入力整合回路４０２１は、増幅素子４０４１へ、インピーダンスを変換した信号を入力する。
【００３９】
増幅素子４０４１は、入力整合回路４０２１と接続される。増幅素子４０４１は、信号を増幅する増幅素子である。増幅素子４０４１は、ＡＢ級又はＣ級にバイアスされる。つまり、増幅素子４０４１には、バイアス電圧として、増幅素子４０４１をＡＢ級で動作させる際に印加される電圧又はＣ級で動作させる際に印加される電圧が印加される。増幅素子４０４１に、動作クラスが変わる程度の電圧が印加されることにより、ＡＢ級増幅器又はＣ級増幅器として、増幅素子４０４１を動作させることができる。増幅素子４０４１は、出力制御回路４０６１へ、増幅した信号を入力する。
【００４０】
出力整合回路４０６１は、増幅素子４０４１と接続される。出力整合回路４０６１は、伝送線路４０８と共に、増幅素子４０４１からの信号の負荷インピーダンスを変換する。
【００４１】
入力整合回路４０２２は、位相変換回路３１４と接続される。入力整合回路４０２２は、増幅素子４０４２の入力インピーダンスへ、位相変換回路３１４からの信号のインピーダンスを変換する。入力整合回路４０２２は、増幅素子４０４２へ、インピーダンスを変換した信号を入力する。
【００４２】
増幅素子４０４２は、入力整合回路４０２２と接続される。増幅素子４０４２は、信号を増幅する増幅素子である。増幅素子４０４２は、ＡＢ級又はＣ級にバイアスされる。つまり、増幅素子４０４２には、バイアス電圧として、増幅素子４０４２をＡＢ級で動作させる際に印加される電圧又はＣ級で動作させる際に印加される電圧が印加される。増幅素子４０４２に、動作クラスが変わる程度の電圧が印加されることにより、ＡＢ級増幅器又はＣ級増幅器として、増幅素子４０４２を動作させることができる。増幅素子４０４２は、出力制御回路４０６２へ、増幅した信号を入力する。
【００４３】
出力整合回路４０６２は、増幅素子４０４２と接続される。出力整合回路４０６２は、増幅素子４０４２からの信号の負荷インピーダンスを変換する。
【００４４】
伝送線路４０８は、出力整合回路４０６１と接続される。伝送線路４０８は、出力整合回路４０６１からの信号のインピーダンス変換を行う。具体的には、伝送線路４０８は、増幅器３０８に入力される信号の周波数のλ／４の電気長に基づいて、インピーダンス変換を行う。増幅器３０８に入力される信号は、プリアンプ３０６１からの信号である。ここで、電気長とは、伝送線路での波長（λ）を基準として、伝送路の長さを規定したものである。伝送路中での波長を基準に規定することにより、線路定数を考慮することができる。線路定数には、誘電体の比誘電率等が含まれる。増幅器３０８に入力される信号の周波数に対してλ／４の電気長に基づいてインピーダンス変換を行うことにより、出力整合回路４０６２からの信号との間で整合をとることができる。
【００４５】
伝送線路４１０は、伝送線路４０８と、出力整合回路４０６２と接続される。伝送線路４１０は、伝送線路４０８からの信号と出力整合回路４０６２からの信号とを合成した信号に対して、インピーダンス変換を行う。伝送線路４０８からの信号と、出力整合回路４０６２からの信号とを結合する点を結合部Ａとする。伝送線路４０８からの信号と、出力整合回路４０６２からの信号は、結合部Ａで合成される。具体的には、伝送線路４１０は、増幅器３０８に入力される信号の周波数のλ／４の電気長に基づいて、インピーダンス変換を行う。増幅器３０８に入力される信号の周波数に対してλ／４の電気長に基づいてインピーダンス変換を行うことにより、フィルタ３１０との間で整合をとることができる。
【００４６】
＜入力整合回路４０２１、４０２２＞
デバイス間でインピーダンスを整合させる条件において、効率が最良となるインピーダンス点と、電力が最大となるインピーダンス点は異なることがある。また、入力信号の周波数によっても、効率が最良となるインピーダンス点と、電力が最大となるインピーダンス点は異なることがある。
【００４７】
複数の周波数帯に対応する増幅器について説明する。例えば、増幅器は、２つの周波数帯の入力信号に適用できる。このような増幅器において、周波数帯ｆ１と周波数帯ｆ２との両周波数帯で、効率が最良となるようにインピーダンス整合をとることができる整合回路を実現するのが困難である場合がある。ここで、周波数帯ｆ１は７００ＭＨｚ帯であり、周波数帯ｆ２は２．１ＧＨｚ帯であってもよい。本実施例では、周波数帯ｆ１で効率が最良となるようにインピーダンス整合をとり、周波数帯ｆ２で電力が最大となるようにインピーダンス整合がとれるように増幅器を設計する。効率が最良となるインピーダンス整合点と、電力が最大となるインピーダンス整合点は異なってもよい。増幅器３０８では、２種類のインピーダンス点を選択できるため、設計の際に選択できるインピーダンス点を増加させることができる。
【００４８】
図５は、入力整合回路４０２１、４０２２によるインピーダンス整合の一例を示すスミスチャートである。
【００４９】
図５において、「Ｐｆ１ＡＢ」は、ＡＢ級で動作するバイアス電圧が印加された増幅素子により周波数帯ｆ１の入力信号を増幅する際に、電力が最大となるインピーダンスを表す点である。「Ｐｆ１Ｃ」は、Ｃ級で動作するバイアス電圧が印加された増幅素子により周波数帯ｆ１の入力信号を増幅する際に、電力が最大となるインピーダンスを表す点である。「γｆ１ＡＢ」は、ＡＢ級で動作するバイアス電圧が印加された増幅素子により周波数帯ｆ１の入力信号を増幅する際に、効率が最良となるインピーダンスを表す点である。「γｆ１Ｃ」は、Ｃ級で動作するバイアス電圧が印加された増幅素子により周波数帯ｆ１の入力信号を増幅する際に、効率が最良となるインピーダンスを表す点である。
【００５０】
また、「Ｐｆ２ＡＢ」は、ＡＢ級で動作するバイアス電圧が印加された増幅素子により周波数帯ｆ２の入力信号を増幅する際に、電力が最大となるインピーダンスを表す点である。「Ｐｆ２Ｃ」は、Ｃ級で動作するバイアス電圧が印加された増幅素子により周波数帯ｆ２の入力信号を増幅する際に、電力が最大となるインピーダンスを表す点である。「γｆ２ＡＢ」は、ＡＢ級で動作するバイアス電圧が印加された増幅素子により周波数帯ｆ２の入力信号を増幅する際に、効率が最良となるインピーダンスを表す点である。「γｆ２Ｃ」は、Ｃ級で動作するバイアス電圧が印加された増幅素子により周波数帯ｆ２の入力信号を増幅する際に、効率が最良となるインピーダンスを表す点である。
【００５１】
図５に示される例では、入力整合回路４０２１に、周波数帯ｆ１で電力が最大となるインピーダンス整合点としての「Ｐｆ１ＡＢ」又は周波数帯ｆ１で効率が最良となるインピーダンス整合点としての「γｆ１ＡＢ」を設定できる。さらに、入力整合回路４０２１に設定されるインピーダンス整合点に応じて、入力整合回路４０２２に、インピーダンス整合点を設定できる。具体的には、入力整合回路４０２２に、周波数帯ｆ１で効率が最大となるインピーダンス整合点としての「γｆ１Ｃ」又は周波数帯ｆ１で電力が最大となるインピーダンス整合点としての「Ｐｆ１ＡＢ」を設定できる。
【００５２】
また、入力整合回路４０２１に、周波数帯ｆ２で電力が最大となるインピーダンス整合点としての「Ｐｆ２ＡＢ」又は周波数帯ｆ２で効率が最良となるインピーダンス整合点としての「γｆ２ＡＢ」を設定できる。さらに、入力整合回路４０２１に設定されるインピーダンス整合点に応じて、入力整合回路４０２２に、インピーダンス整合点を設定できる。具体的には、入力整合回路４０２２に、周波数帯ｆ２で効率が最大となるインピーダンス整合点としての「γｆ２Ｃ」又は周波数帯ｆ２で電力が最大となるインピーダンス整合点としての「Ｐｆ２ＡＢ」を設定できる。このため、増幅器のマルチバンド化に際し、整合回路の設計の自由度を向上させることができる。
【００５３】
＜出力整合回路４０６１、４０６２＞
出力整合回路４０６１、４０６２についても、入力整合回路４０２１、４０２２と同様に、デバイス間でインピーダンスを整合させる条件において、効率が最良となるインピーダンス点と、電力が最大となるインピーダンス点は異なる。また、入力信号の周波数によっても、効率が最良となるインピーダンス点と、電力が最大となるインピーダンス点は異なる。
【００５４】
例えば、複数の周波数帯に対応する増幅器では、周波数帯ｆ１と周波数帯ｆ２との両周波数帯で、効率が最良となるようにインピーダンス整合をとることができる整合回路を実現するのが困難である場合がある。この場合、周波数帯ｆ１で効率が最良となるようにインピーダンス整合をとり、周波数帯ｆ２で電力が最大となるようにインピーダンス整合がとれるように設計する。効率が最良となるインピーダンス整合点と、電力が最大となるインピーダンス整合点とは異なってもよい。増幅器３０８では、２種類のインピーダンス点を選択できるため、設計の際に選択できるインピーダンス点を増加させることができる。
【００５５】
図６は、出力整合回路４０６１、４０６２によるインピーダンス整合の一例を示すスミスチャートである。
【００５６】
図６において、「Ｐｆ１ＡＢ」は、ＡＢ級で動作するバイアス電圧が印加された増幅素子により周波数帯ｆ１の入力信号を増幅する際に、電力が最大となるインピーダンスを表す点である。「Ｐｆ１Ｃ」は、Ｃ級で動作するバイアス電圧が印加された増幅素子により周波数帯ｆ１の入力信号を増幅する際に、電力が最大となるインピーダンスを表す点である。「γｆ１ＡＢ」は、ＡＢ級で動作するバイアス電圧が印加された増幅素子により周波数帯ｆ１の入力信号を増幅する際に、効率が最良となるインピーダンスを表す点である。「γｆ１Ｃ」は、Ｃ級で動作するバイアス電圧が印加された増幅素子により周波数帯ｆ１の入力信号を増幅する際に、効率が最良となるインピーダンスを表す点である。
【００５７】
また、「Ｐｆ２ＡＢ」は、ＡＢ級で動作するバイアス電圧が印加された増幅素子により周波数帯ｆ２の入力信号を増幅する際に、電力が最大となるインピーダンスを表す点である。「Ｐｆ２Ｃ」は、Ｃ級で動作するバイアス電圧が印加された増幅素子により周波数帯ｆ２の入力信号を増幅する際に、電力が最大となるインピーダンスを表す点である。「γｆ２ＡＢ」は、ＡＢ級で動作するバイアス電圧が印加された増幅素子により周波数帯ｆ２の入力信号を増幅する際に、効率が最良となるインピーダンスを表す点である。「γｆ２Ｃ」は、Ｃ級で動作するバイアス電圧が印加された増幅素子により周波数帯ｆ２の入力信号を増幅する際に、効率が最良となるインピーダンスを表す点である。
【００５８】
図６に示される例では、出力整合回路４０６１に、周波数帯ｆ１で電力が最大となるインピーダンス整合点としての「Ｐｆ１ＡＢ」又は周波数帯ｆ１で効率が最良となるインピーダンス整合点としての「γｆ１ＡＢ」を設定できる。さらに、出力整合回路４０６１に設定されるインピーダンス整合点に応じて、出力整合回路４０６２に、インピーダンス整合点を設定できる。具体的には、出力整合回路４０６２に、周波数帯ｆ１で効率が最大となるインピーダンス整合点としての「γｆ１Ｃ」又は周波数帯ｆ１で電力が最大となるインピーダンス整合点としての「Ｐｆ１ＡＢ」を設定できる。
【００５９】
また、出力整合回路４０６１に、周波数帯ｆ２で電力が最大となるインピーダンス整合点としての「Ｐｆ２ＡＢ」又は周波数帯ｆ２で効率が最良となるインピーダンス整合点としての「γｆ２ＡＢ」を設定できる。さらに、出力整合回路４０６１に設定されるインピーダンス整合点に応じて、出力整合回路４０６２に、インピーダンス整合点を設定できる。具体的には、出力整合回路４０６２に、周波数帯ｆ２で効率が最大となるインピーダンス整合点としての「γｆ２Ｃ」又は周波数帯ｆ２で電力が最大となるインピーダンス整合点としての「Ｐｆ２ＡＢ」を設定できる。このため、増幅器のマルチバンド化に際し、整合回路の設計の自由度を向上させることができる。
【００６０】
＜増幅器３０８の動作＞
図７は、増幅器３０８の動作の一実施例を示すフローチャートである。
【００６１】
ここで、７００ＭＨｚ帯の信号が増幅されるように切替えられる場合、２．１ＧＨｚ帯の信号が増幅されるように切替えられる場合について説明する。
【００６２】
＜７００ＭＨｚ帯の信号が増幅されるように切替えられる場合＞
２．１ＧＨｚ帯の信号を増幅するように設定されている増幅器３０８に対して、７００ＭＨｚ帯の信号を増幅するように切替えられる。
【００６３】
増幅器３０８に、整合条件が設定される（ステップＳ７０２）。具体的には、入力整合回路４０２１に、７００ＭＨｚで効率が最良となるインピーダンス整合点が設定される。また、出力整合回路４０６１に、７００ＭＨｚで効率が最良となるインピーダンス整合点が設定される。
【００６４】
一方、入力整合回路４０２２に、７００ＭＨｚで電力が最大となるインピーダンス整合点が設定される。また、出力整合回路４０６２に、７００ＭＨｚで電力が最大となるインピーダンス整合点が設定される。
【００６５】
増幅器３０８に、バイアス電圧が印加される（ステップＳ７０４）。具体的には、増幅素子４０４１に、ＡＢ級で動作するバイアス電圧が印加される。一方、増幅素子４０４２に、Ｃ級で動作するバイアス電圧が印加される。
【００６６】
＜２．１ＧＨｚ帯の信号が増幅されるように切替えられる場合＞
７００ＭＨｚ帯の信号を増幅するように設定されている増幅器３０８に対して、２．１ＧＨｚ帯の信号を増幅するように切替えられる。
【００６７】
増幅器３０８に、整合条件が設定される（ステップＳ７０２）。具体的には、入力整合回路４０２１に、２．１ＧＨｚで電力が最大となるインピーダンス整合点が設定される。また、出力整合回路４０６１に、２．１ＧＨｚで電力が最大となるインピーダンス整合点が設定される。
【００６８】
一方、入力整合回路４０２２に、２．１ＧＨｚで効率が最良となるインピーダンス整合点が設定される。また、出力整合回路４０６２に、２．１ＧＨｚで効率が最良となるインピーダンス整合点が設定される。
【００６９】
増幅器３０８に、バイアス電圧が印加される（ステップＳ７０４）。具体的には、増幅素子４０４１に、Ｃ級で動作するバイアス電圧が印加される。一方、増幅素子４０４２に、ＡＢ級で動作するバイアス電圧が印加される。
【００７０】
本実施例によれば、ドハティ増幅器をマルチバンド化する際に、整合回路の設計の自由度を向上させることができる。つまり、複数のインピーダンス整合点から、設定するインピーダンス整合点を選択することができる。複数のインピーダンス整合点から選択できることにより、簡易に、ドハティ増幅器をマルチバンド化することができる。また、伝送線路等を切替えることなく、ドハティ増幅器をマルチバンド化することができる。
【００７１】
また、７００ＭＨｚ帯と、２．１ＧＨｚ帯に対応する増幅器では、上述したように、伝送線路４０８及び４１０は、λ／４の線路で実現できる。
【００７２】
ドハティ増幅器では、キャリアアンプからの信号とピークアンプからの信号は９０度の位相差で結合する必要がある。図４に示される増幅器３０８では、伝送線路４０８により、キャリアアンプからの信号とピークアンプからの信号が９０度の位相差で結合できるようにされる。
【００７３】
また、ピークアンプの動作の際には、キャリアアンプとピークアンプは並列動作するため、ピークアンプからの信号とキャリアアンプからの信号とを合成した信号に対してインピーダンス変換が必要となる。図４に示される増幅器３０８では、伝送線路４１０により、ピークアンプからの信号とキャリアアンプからの信号とを合成した信号に対してインピーダンス変換される。
【００７４】
例えば、伝送線路４０８及び４１０は、９０度（λ／４）の線路で置換えることができる。しかし、線路は周波数特性を有するため、９０度の位相になるのはある周波数の場合である。
【００７５】
本実施例では、増幅器３０８を、７００ＭＨｚ帯と、該７００ＭＨｚの３倍の２．１ＧＨｚ帯に対応するように設定する。７００ＭＨｚ帯と、２．１ＧＨｚ帯に対応するように設定することにより、伝送線路４０８及び４１０を、低い周波数、つまり７００ＭＨｚのλ／４線路で共用できる。７００ＭＨｚのλ／４線路で共用できるため、出力側の線路の切替えを無くすことができる。
【００７６】
＜第２の実施例＞
＜基地局＞
基地局１００、基地局２００の一実施例は、図１、図２と同様である。
【００７７】
＜送信装置３００＞
図８は、送信装置３００の一実施例を示す。送信装置３００の一実施例は、図３を参照して説明した送信装置と、位相変換回路３１６を有する点で異なる。
【００７８】
位相変換回路３１６は、プリアンプ３０６１と接続される。位相変換回路３１６は、プリアンプ３０６１からの信号の位相をずらす。位相変換回路３１６は、位相をずらしたプリアンプ３０６１からの信号を増幅器３０８に入力する。具体的には、位相変換回路３１６は、プリアンプ３０６１からの信号の位相を遅らせる。
【００７９】
また、位相変換回路３１４は、プリアンプ３０６２からの信号の位相を９０度に加えさらにずらす。位相変換回路３１４は、位相を９０度に加えさらにずらしたプリアンプ３０６２からの信号を増幅器３０８に入力する。具体的には、位相変換回路３１６は、プリアンプ３０６１からの信号の位相を９０度に加えさらに遅らせる。
【００８０】
＜増幅器３０８＞
図９は、増幅器３０８の一実施例を示す。
【００８１】
増幅器３０８の一実施例は、図４を参照して説明した増幅器３０８と、位相補正線路４１２及び４１４を有する点で異なる。
【００８２】
位相変換回路３１６からの信号は、入力整合回路４０２１へ入力される。
【００８３】
位相補正線路４１２は、出力整合回路４０６１と接続される。位相補正線路４１２は、増幅素子４０４１により生じる位相のずれを補正するための伝送線路である。
【００８４】
具体的には、７００ＭＨｚ帯の信号を増幅する場合には、位相補正線路４１２は、出力整合回路４０６１からの信号を位相θ１補正する。位相θ１は、７００ＭＨｚ帯の信号を増幅する際に増幅素子４０４１により生じると想定される位相のずれである。位相補正線路４１２により位相が補正された信号は、伝送線路４０８に入力される。
【００８５】
また、２．１ＧＨｚ帯の信号を増幅する場合には、位相補正線路４１２は、出力整合回路４０６１からの信号を位相θ３補正する。位相θ３は、２．１ＧＨｚ帯の信号を増幅する際に増幅素子４０４１により生じると想定される位相のずれである。位相補正線路４１２により位相が補正された信号は、伝送線路４０８に入力される。
【００８６】
位相補正線路４１４は、出力整合回路４０６２と接続される。位相補正線路４１４は、増幅素子４０４２により生じる位相のずれを補正するための伝送線路である。
【００８７】
具体的には、７００ＭＨｚ帯の信号を増幅する場合には、位相補正線路４１４は、出力整合回路４０６２からの信号を位相θ２補正する。位相θ２は、７００ＭＨｚ帯の信号を増幅する際に増幅素子４０４２により生じると想定される位相のずれである。位相補正線路４１４により位相が補正された信号は、結合部Ａで伝送線路４０８からの信号と合成され、伝送線路４１０に入力される。
【００８８】
また、２．１ＧＨｚ帯の信号を増幅する場合には、位相補正線路４１４は、出力整合回路４０６２からの信号を位相θ４補正する。位相θ４は、２．１ＧＨｚ帯の信号を増幅する際に増幅素子４０４２により生じると想定される位相のずれである。位相補正線路４１４により位相が補正された信号は、結合部Ａで伝送線路４０８からの信号と合成され、伝送線路４１０に入力される。
【００８９】
ドハティ増幅器では、キャリアアンプからの信号とピークアンプからの信号は９０度の位相差で結合する必要がある。しかし、キャリアアンプとピークアンプとではバイアス条件及び整合条件が異なるため、キャリアアンプから出力される信号と、ピークアンプから出力される信号は同じ通過位相にならない。このため、出力整合回路４０６１及び４０６２の出力側に、それぞれ位相補正線路４１２及び４１４を有することにより、通過位相ずれを補正するラインが挿入される。
【００９０】
しかし、マルチバンド化のため周波数が変わると位相ずれ量は同じにならない。周波数が変化することにより変動すると想定される位相ずれ量を補正するために、位相ずれ量をキャリアアンプ、ピークアンプそれぞれ独立に設定する。
【００９１】
具体的には、７００ＭＨｚ帯の信号を増幅する場合には、位相変換回路３１６はプリアンプ３０６１からの信号の位相をずらす量をΔθ１に設定し、位相変換回路３１４はプリアンプ３０６２からの信号の位相をずらす量をΔθ２に設定する。
【００９２】
また、２．１ＧＨｚ帯の信号を増幅する場合には、位相変換回路３１６はプリアンプ３０６１からの信号の位相をずらす量をΔθ３に設定し、位相変換回路３１４はプリアンプ３０６２からの信号の位相をずらす量をΔθ４に設定する。
【００９３】
このようにすることにより、マルチバンド化のために、入力信号の周波数が変わる場合であっても、周波数が変化することにより変動する位相ずれ量を補正できる。
【００９４】
＜増幅器３０８の動作＞
図１０は、増幅器３０８の動作の一実施例を示すフローチャートである。
【００９５】
ここで、７００ＭＨｚ帯の信号が増幅されるように切替えられる場合、２．１ＧＨｚ帯の信号が増幅されるように切替えられる場合について説明する。
【００９６】
＜７００ＭＨｚ帯の信号が増幅されるように切替えられる場合＞
２．１ＧＨｚ帯の信号を増幅するように設定されている増幅器３０８に対して、７００ＭＨｚ帯の信号を増幅するように切替えられる。
【００９７】
増幅器３０８に、整合条件が設定される（ステップＳ１００２）。具体的には、入力整合回路４０２１に、７００ＭＨｚで効率が最良となるインピーダンス整合点が設定される。また、出力整合回路４０６１に、７００ＭＨｚで効率が最良となるインピーダンス整合点が設定される。
【００９８】
一方、入力整合回路４０２２に、７００ＭＨｚで電力が最大となるインピーダンス整合点が設定される。また、出力整合回路４０６２に、７００ＭＨｚで電力が最大となるインピーダンス整合点が設定される。
【００９９】
位相が設定される（ステップＳ１００４）。具体的には、位相変換回路３１６に位相をずらす量としてΔθ１が設定され、位相変換回路３１４に位相をずらす量としてΔθ２が設定される。また、位相補正線路４１２に、出力整合回路４０６１からの信号の位相を位相θ１補正するように設定される。また、位相補正線路４１４に、出力整合回路４０６２からの信号の位相を位相θ２補正するように設定される。
【０１００】
増幅器３０８に、バイアス電圧が印加される（ステップＳ１００６）。具体的には、増幅素子４０４１に、ＡＢ級で動作するバイアス電圧が印加される。一方、増幅素子４０４２に、Ｃ級で動作するバイアス電圧が印加される。
【０１０１】
＜２．１ＧＨｚ帯の信号が増幅されるように切替えられる場合＞
７００ＭＨｚ帯の信号を増幅するように設定されている増幅器３０８に対して、２．１ＧＨｚ帯の信号を増幅するように切替えられる。
【０１０２】
増幅器３０８に、整合条件が設定される（ステップＳ１００２）。具体的には、入力整合回路４０２１に、２．１ＧＨｚで電力が最大となるインピーダンス整合点が設定される。また、出力整合回路４０６１に、２．１ＧＨｚで電力が最大となるインピーダンス整合点が設定される。
【０１０３】
一方、入力整合回路４０２２に、２．１ＧＨｚで効率が最良となるインピーダンス整合点が設定される。また、出力整合回路４０６２に、２．１ＧＨｚで効率が最良となるインピーダンス整合点が設定される。
【０１０４】
位相が設定される（ステップＳ１００４）。具体的には、位相変換回路３１６に位相をずらす量としてΔθ３が設定され、位相変換回路３１４に位相をずらす量としてΔθ４が設定される。また、位相補正線路４１２に、出力整合回路４０６１からの信号の位相を位相θ３補正するように設定される。位相補正線路４１４に、出力整合回路４０６２からの信号の位相を位相θ４補正するように設定される。
【０１０５】
増幅器３０８に、バイアス電圧が印加される（ステップＳ１００６）。具体的には、増幅素子４０４１に、Ｃ級で動作するバイアス電圧が印加される。一方、増幅素子４０４２に、ＡＢ級で動作するバイアス電圧が印加される。
【０１０６】
本実施例によれば、ドハティ増幅器をマルチバンド化する際に、整合回路の設計の自由度を向上させることができる。つまり、複数のインピーダンス整合点から、設定するインピーダンス整合点を選択することができる。複数のインピーダンス整合点から選択できることにより、簡易に、ドハティ増幅器をマルチバンド化することができる。また、伝送線路等を切替えることなく、ドハティ増幅器をマルチバンド化することができる。
【０１０７】
また、７００ＭＨｚ帯と、２．１ＧＨｚ帯に対応する増幅器では、上述したように、伝送線路４０８及び４１０は、λ／４の線路で実現できる。
【０１０８】
ドハティ増幅器では、キャリアアンプからの信号とピークアンプからの信号は９０度の位相差で結合する必要がある。図９に示される増幅器３０８では、伝送線路４０８により、キャリアアンプからの信号とピークアンプからの信号が９０度の位相差で結合できるようにされる。
【０１０９】
また、ピークアンプの動作の際には、キャリアアンプとピークアンプは並列動作するため、ピークアンプからの信号とキャリアアンプからの信号とを合成した信号に対してインピーダンス変換が必要となる。図９に示される増幅器３０８では、伝送線路４１０により、ピークアンプからの信号とキャリアアンプからの信号とを合成した信号に対してインピーダンス変換される。
【０１１０】
例えば、伝送線路４０８及び４１０は、９０度（λ／４）の線路で置換えることができる。しかし、線路は周波数特性を有するため、９０度の位相になるのはある周波数の場合である。
【０１１１】
本実施例では、増幅器３０８を、７００ＭＨｚ帯と、該７００ＭＨｚの３倍の２．１ＧＨｚ帯に対応するように設定する。７００ＭＨｚ帯と、２．１ＧＨｚ帯に対応するように設定することにより、伝送線路４０８及び４１０を、低い周波数、つまり７００ＭＨｚのλ／４線路で共用できる。７００ＭＨｚのλ／４線路で共用できるため、出力側の線路の切替えを無くすことができる。
【０１１２】
また、本実施例では、キャリアアンプからの信号と、ピークアンプからの信号との間の通過位相のずれを補正できるため、キャリアアンプからの信号とピークアンプからの信号との合成ポイントのずれを低減できる。キャリアアンプからの信号とピークアンプからの信号との合成ポイントのずれを低減できるため、特に最大電力を得る際の増幅特性を改善できる。
【０１１３】
また、周波数帯の切替の際に線路等の物理的な切替えを行うことなく、増幅素子毎に異なる周波数特性により生じる位相のずれを、入力される信号の位相を制御することにより調整することができる。
【０１１４】
上述した実施例において、増幅素子４０４１及び４０４２の動作クラスは、ＡＢ級とＢ級との間で切替えられるようにしてもよいし、Ａ級とＢ級との間で切替えられるようにしてもよい。また、増幅素子４０４１及び４０４２の動作クラスは、ＡＢ級とＣ級との間で切替えられるようにしてもよいし、Ａ級とＣ級との間で切替えられるようにしてもよい。
【０１１５】
以上の実施例を含む実施形態に関し、更に以下の付記を開示する。
（付記１）
第１及び第２の動作クラスで動作する第１及び第２の増幅素子と、
前記第１の増幅素子の出力側に配置される伝送線路と、
前記第２の増幅素子と、前記伝送線路とを結合する結合部と
を有し、
第１の周波数帯の信号を増幅する際に、前記第１の増幅素子に前記第１の動作クラスで動作するようにバイアス電圧が印加され、且つ前記第２の増幅素子に前記第２の動作クラスで動作するようにバイアス電圧が印加され、
第２の周波数帯の信号を増幅する際に、前記第１の増幅素子に前記第２の動作クラスで動作するようにバイアス電圧が印加され、且つ前記第２の増幅素子に前記第１の動作クラスで動作するようにバイアス電圧が印加される、増幅器。
（付記２）
前記第１の増幅素子との間でインピーダンスを整合させる処理を行う第１の入力整合回路と、
前記第１の増幅素子からの出力に対してインピーダンスを整合させる処理を行う第１の出力整合回路と、
前記第２の増幅素子との間でインピーダンスを整合させる処理を行う第２の入力整合回路と、
前記第２の増幅素子からの出力に対してインピーダンスを整合させる処理を行う第２の出力整合回路と
を有し、
前記第１の周波数帯の信号を増幅する際に、前記第１の入力整合回路及び前記第１の出力整合回路は増幅効率を重視する整合条件に従ってインピーダンスを整合させる処理を行うとともに、前記第２の入力整合回路及び前記第２の出力整合回路は出力電力を重視する整合条件に従ってインピーダンスを整合させる処理を行い、
前記第２の周波数帯の信号を増幅する際に、前記第１の入力整合回路及び前記第１の出力整合回路は出力電力を重視する整合条件に従ってインピーダンスを整合させる処理を行うとともに、前記第２の入力整合回路及び前記第２の出力整合回路は増幅効率を重視する整合条件に従ってインピーダンスを整合させる処理を行う、付記１に記載の増幅器。
（付記３）
前記第１の周波数帯の信号を増幅する際に、前記第１の増幅素子がパワーアンプとして機能するように前記第１の動作クラスで動作させるバイアス電圧が印加され、且つ前記第２の増幅素子がキャリアアンプとして機能するように前記第２の動作クラスで動作させるバイアス電圧が印加され、
前記第２の周波数帯の信号を増幅する際に、前記第１の増幅素子がキャリアアンプとして機能するように前記第２の動作クラスで動作させるバイアス電圧が印加され、且つ前記第２の増幅素子がパワーアンプとして機能するように前記第１の動作クラスで動作させるバイアス電圧が印加される、付記１又は２に記載の増幅器。
（付記４）
前記第１の増幅素子により生じる位相のずれを補正する第１の位相補正線路と、
前記第２の増幅素子により生じる位相のずれを補正する第２の位相補正線路と
を有する、付記１に記載の増幅器。
（付記５）
前記第１の増幅素子に、該第１の増幅素子により第１及び第２の周波数帯の信号を増幅する際に生じる位相のずれが補正された信号が入力され、
前記第２の増幅素子に、該第２の増幅素子により第１及び第２の周波数帯の信号を増幅する際に生じる位相のずれが補正された信号が入力される、付記１に記載の増幅器。
（付記６）
前記第２の周波数帯は、前記第１の周波数帯の３倍であり、前記伝送線路は、前記第１の周波数帯に応じた電気長の伝送線路である、付記１に記載の増幅器。
（付記７）
前記第２の増幅素子に入力される信号は、前記第１の増幅素子に入力される信号に対して９０度位相を遅らせた信号である、付記１に記載の増幅器。
（付記８）
前記出力電力を重視する整合条件、前記増幅効率を重視する整合条件は、前記第１及び第２の周波数帯、及び前記第１及び第２の増幅素子に印加されるバイアス電圧に基づいて予め設定される、付記２に記載の増幅器。
（付記９）
前記第１の動作クラスはＡ級又はＡＢ級であり、且つ前記第２の動作クラスはＢ級又はＣ級である、付記１に記載の増幅器。
（付記１０）
付記１ないし９のいずれか１項に記載の増幅器を有する送信装置。
（付記１１）
付記１０に記載の送信装置を有する基地局。
【符号の説明】
【０１１６】
１００  基地局
１０２（１０２１−１０２６）  増幅装置
１０４（１０４１−１０４６）  変調装置
１０６（１０６１−１０６６）  制御装置
１０８（１０８１−１０８６）  電源装置
２００  基地局
２０２（２０２１−２０２３）  ＲＲＨ
２０４（２０４１−２０４３）  増幅装置
２０６（２０６１−２０６３）  変調装置
２０８  ベースバンド処理装置
３００  送信装置
３０２１、３０２２  変調回路
３０４１、３０４２  Ｄ／Ａ
３０６１、３０６２  プリアンプ
３０８  増幅器
３１０  フィルタ
３１２  アンテナ
３１４  位相変換回路
３１６  位相変換回路
４０２１、４０２２  入力整合回路
４０４２、４０４２  増幅素子
４０６１、４０６２  出力整合回路
４０８  伝送線路
４１０  伝送線路
４１２  位相補正線路
４１６  位相補正線路
【図１】
0005754362.tif 000002
【図２】
0005754362.tif 000003
【図３】
0005754362.tif 000004
【図４】
0005754362.tif 000005
【図５】
0005754362.tif 000006
【図６】
0005754362.tif 000007
【図７】
0005754362.tif 000008
【図８】
0005754362.tif 000009
【図９】
0005754362.tif 000010
【図１０】
0005754362.tif 000011